【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
投影型表示装置であって、
投影面に第１投影画像を投影する投影手段と、
他の投影型表示装置によって前記投影面に投影された第２投影画像と前記第１投影画像とで１つの画像を前記投影面に投影するマルチ投影モードで前記投影型表示装置が動作している場合に、前記第１投影画像と前記第２投影画像との輝度および色の少なくとも一方の差が所定値以上である場合に、所定の通知を出力する出力手段と、
を備えることを特徴とする投影型表示装置。
【請求項２】
前記第１投影画像の一部と、前記第２投影画像のうち前記第１投影画像に隣接する一部と、を含む前記投影面の領域を撮像して得られた画像に基づいて、前記第１投影画像と前記第２投影画像との輝度および色の少なくとも一方の差が前記所定値以上であるか否かを判定する判定手段をさらに備えることを特徴とする請求項１に記載の投影型表示装置。
【請求項３】
前記出力手段は、前記第１投影画像と前記第２投影画像との輝度および色の少なくとも一方に関する統計量の差が所定値以上である状態が、所定時間以上継続した場合に、前記所定の通知を出力することを特徴とする請求項１または２に記載の投影型表示装置。
【請求項４】
前記投影手段は、
光源と、
前記光源からの光を透過して投影面に画像を投影する投影光学系と、
を含み、
前記出力手段は、前記投影型表示装置が前記マルチ投影モードで動作しているか否かによらず、前記光源の駆動時間が所定の駆動時間以上である場合に、通知を出力する
ことを特徴とする請求項１乃至３のいずれか１項に記載の投影型表示装置。
【請求項５】
前記出力手段は、前記投影型表示装置が前記マルチ投影モードで動作しているか否かによらず、前記前記投影型表示装置の温度に応じて通知を出力する
ことを特徴とする請求項１乃至４のいずれか１項に記載の投影型表示装置。
【請求項６】
前記投影手段が前記第１投影画像を前記投影面に投影するために用いる画像信号の第１統計量と、前記他の投影型表示装置が前記第２投影画像を投影するために用いる画像信号の第２統計量との差が閾値以下であり、かつ前記第１投影画像と前記第２投影画像との輝度および色の少なくとも一方の差が前記所定値以上である場合に、前記所定の通知を出力する
ことを特徴とする請求項１乃至５のいずれか１項に記載の投影型表示装置。
【請求項７】
前記所定の通知は、ユーザへのメール送信であって、
前記出力手段は、外部のメールサーバに対して、前記ユーザに対応するアドレス情報を出力する
ことを特徴とする請求項１乃至６のいずれか１項に記載の投影型表示装置。
【請求項８】
投影型表示装置であって、
投影面に画像を投影する投影手段と、
前記投影手段により投影された画像を含む前記投影面の領域を撮像して得られた画像に基づいて、前記投影型表示装置の状態を検出する検出手段と、
前記検出手段によって検知された前記状態に基づいて、前記投影型表示装置に関する情報を他の機器に送信する通信手段と、
を備え、
前記検出手段は、前記投影型表示装置と少なくとも１つの他の投影型表示装置とがそれぞれ投影する画像を合成して１つの画像を投影するマルチ投影時と、前記投影型表示装置だけで１つの画像を投影する通常投影時とで、前記状態の検出方法を異ならせる
ことを特徴とした投影型表示装置。
【請求項９】
投影面に第１投影画像を投影する投影手段を備える投影型表示装置の制御方法であって、
他の投影型表示装置によって前記投影面に投影された第２投影画像と前記第１投影画像とで１つの画像を前記投影面に投影するマルチ投影モードで前記投影型表示装置が動作している場合に、前記第１投影画像と前記第２投影画像との輝度および色の少なくとも一方の差が所定値以上である場合に、所定の通知を出力する出力工程を備えることを特徴とする投影型表示装置の制御方法。
【請求項１０】
前記第１投影画像の一部と、前記第２投影画像のうち前記第１投影画像に隣接する一部と、を含む前記投影面の領域を撮像して得られた画像に基づいて、前記第１投影画像と前記第２投影画像との輝度および色の少なくとも一方の差が前記所定値以上であるか否かを判定する判定工程をさらに備えることを特徴とする請求項９に記載の投影型表示装置の制御方法。
【請求項１１】
前記出力工程は、前記第１投影画像と前記第２投影画像との輝度および色の少なくとも一方に関する統計量の差が所定値以上である状態が、所定時間以上継続した場合に、前記所定の通知を出力することを特徴とする請求項９または１０に記載の投影型表示装置の制御方法。
【請求項１２】
前記投影手段は、
光源と、
前記光源からの光を透過して投影面に画像を投影する投影光学系と、
を含み、
前記出力工程は、前記投影型表示装置が前記マルチ投影モードで動作しているか否かによらず、前記光源の駆動時間が所定の駆動時間以上である場合に、通知を出力する
ことを特徴とする請求項９乃至１１のいずれか１項に記載の投影型表示装置の制御方法。
【請求項１３】
前記出力工程は、前記投影型表示装置が前記マルチ投影モードで動作しているか否かによらず、前記前記投影型表示装置の温度に応じて通知を出力する
ことを特徴とする請求項９乃至１２のいずれか１項に記載の投影型表示装置の制御方法。
【請求項１４】
前記投影手段が前記第１投影画像を前記投影面に投影するために用いる画像信号の第１統計量と、前記他の投影型表示装置が前記第２投影画像を投影するために用いる画像信号の第２統計量との差が閾値以下であり、かつ前記第１投影画像と前記第２投影画像との輝度および色の少なくとも一方の差が前記所定値以上である場合に、前記所定の通知を出力する
ことを特徴とする請求項９乃至１３のいずれか１項に記載の投影型表示装置の制御方法。
【請求項１５】
前記所定の通知は、ユーザへのメール送信であって、
前記出力工程は、外部のメールサーバに対して、前記ユーザに対応するアドレス情報を出力する
ことを特徴とする請求項９乃至１４のいずれか１項に記載の投影型表示装置の制御方法。
【請求項１６】
投影面に画像を投影する投影手段と投影型表示装置の制御方法であって、
前記投影手段により投影された画像を含む前記投影面の領域を撮像して得られた画像に基づいて、前記投影型表示装置の状態を検出する検出工程と、
前記検出手段によって検知された前記状態に基づいて、前記投影型表示装置に関する情報を他の機器に送信する通信工程と、
を備え、
前記検出工程は、前記投影型表示装置と少なくとも１つの他の投影型表示装置とがそれぞれ投影する画像を合成して１つの画像を投影するマルチ投影時と、前記投影型表示装置だけで１つの画像を投影する通常投影時とで、前記状態の検出方法を異ならせる
ことを特徴とした投影型表示装置の制御方法。
【手続補正２】
【補正対象書類名】明細書
【補正対象項目名】０００５
【補正方法】変更
【補正の内容】
【０００５】
かかる目的を達成するための本発明の投影型表示装置は、投影面に第１投影画像を投影する投影手段と、他の投影型表示装置によって前記投影面に投影された第２投影画像と前記第１投影画像とで１つの画像を前記投影面に投影するマルチ投影モードで前記投影型表示装置が動作している場合に、前記第１投影画像と前記第２投影画像との輝度および色の少なくとも一方の差が所定値以上である場合に、所定の通知を出力する出力手段と、を備えることを特徴とする。